(57)【要約】【課題】ロール紙の供給およびファンフォールド紙の供給が可能な印刷用紙供給ユニットを提案する。【解決手段】印刷用紙供給ユニット１は、ロール紙Ａを回転可能に保持するロール紙保持部５と、ロール紙保持部５を支持するベース部６とを備えている。ベース部６には、ファンフォールド紙が収容される収容部６ａが形成されている。印刷用紙供給ユニット１では、印刷用紙供給ユニット１からロール紙Ａおよびファンフォールド紙を供給することができるため、ロール紙用の供給ユニットと、ファンフォールド紙用の供給ユニットとを別個に準備する必要がなくなる。【選択図】図１
2011194579.tif 000002
【特許請求の範囲】
【請求項１】
ロール紙を回転可能に保持するロール紙保持部と、前記ロール紙保持部を支持するベース部とを備え、
前記ベース部には、ファンフォールド紙が収容される収容部が形成されていることを特徴とする印刷用紙供給ユニット。
【請求項２】
前記ロール紙保持部は、前記ベース部に着脱可能に固定されていることを特徴とする請求項１に記載の印刷用紙供給ユニット。
【請求項３】
前記ロール紙保持部は、前記ロール紙が取り付けられるホルダーと、前記ホルダーを支持する支持軸と、前記支持軸を支持する支柱部とを備え、
前記支柱部の下端が前記ベース部に着脱可能に固定されていることを特徴とする請求項２に記載の印刷用紙供給ユニット。
【請求項４】
前記収容部は、前記収容部の底面を形成する底面部と、矩形状に形成される前記ファンフォールド紙を少なくとも前記ファンフォールド紙の幅方向の両側から挟むように形成される側面部とを備えることを特徴とする請求項１から３のいずれかに記載の印刷用紙供給ユニット。
【発明の詳細な説明】
【技術分野】
【０００１】
本発明は、プリンターに印刷用紙を供給する印刷用紙供給ユニットに関する。
【背景技術】
【０００２】
従来、プリンターに供給されるロール紙が収納されるロール紙供給装置が知られている（たとえば、特許文献１参照）。また、プリンターに供給されるファンフォールド紙が収納されるファンフォールド紙収納箱が知られている（たとえば、特許文献２参照）。
【先行技術文献】
【特許文献】
【０００３】
【特許文献１】特開２００３−６３７００号公報
【特許文献１】特開２００５−１５３９４３号公報
【発明の概要】
【発明が解決しようとする課題】
【０００４】
プリンターの中には、ロール紙およびファンフォールド紙のいずれの印刷用紙に対しても印刷を行うことが可能なものがある。従来、このようなプリンターに外部から印刷用紙を供給する場合、ロール紙に印刷を行うときには、ロール紙の供給機構がプリンターの外部に設置され、ファンフォールド紙に印刷を行うときには、ファンフォールド紙の供給機構がプリンターの外部に設置される。すなわち、従来は、ロール紙およびファンフォールド紙の両者の印刷が可能なプリンターに対して、ロール紙の供給機構と、ファンフォールド紙の供給機構とを別個に準備する必要がある。また、従来は、ロール紙からファンフォールド紙へ、あるいは、ファンフォールド紙からロール紙へ印刷用紙を切り替える際に、ロール紙の供給機構とファンフォールド紙の供給機構とを入れ替える必要がある。
【０００５】
そこで、本発明の課題は、ロール紙の供給およびファンフォールド紙の供給が可能な印刷用紙供給ユニットを提案することにある。
【課題を解決するための手段】
【０００６】
上記の課題を解決するため、本発明の印刷用紙供給ユニットは、ロール紙を回転可能に保持するロール紙保持部と、前記ロール紙保持部を支持するベース部とを備え、前記ベース部には、ファンフォールド紙が収容される収容部が形成されていることを特徴とする。
【０００７】
本発明の印刷用紙供給ユニットは、ロール紙を回転可能に保持するロール紙保持部を備えている。また、本発明の印刷用紙供給ユニットでは、ロール紙保持部を支持するベース部に、ファンフォールド紙が収容される収容部が形成されている。そのため、本発明では、ロール紙に印刷を行う場合には、ロール紙保持部を利用してロール紙を供給し、ファンフォールド紙に印刷を行う場合には、収容部を利用して、ファンフォールド紙を供給することが可能になる。すなわち、印刷用紙供給ユニットからロール紙およびファンフォールド紙を供給することが可能になる。
【０００８】
したがって、本発明では、ロール紙およびファンフォールド紙の両印刷用紙の印刷が可能なプリンターに対して、ロール紙の供給ユニットと、ファンフォールド紙の供給ユニットとを別個に準備する必要がなくなる。また、ロール紙からファンフォールド紙へ、あるいは、ファンフォールド紙からロール紙へ印刷用紙を切り替える際に、印刷用紙の供給ユニットを入れ替える必要がなくなる。また、本発明では、１台の印刷用紙供給ユニットを準備すれば、ロール紙の印刷が可能なプリンターと、ファンフォールド紙の印刷が可能なプリンターとの両プリンターに印刷用紙を供給することが可能になる。
【０００９】
本発明において、前記ロール紙保持部は、前記ベース部に着脱可能に固定されていることが好ましい。この場合には、たとえば、前記ロール紙保持部は、前記ロール紙が取り付けられるホルダーと、前記ホルダーを支持する支持軸と、前記支持軸を支持する支柱部とを備え、前記支柱部の下端が前記ベース部に着脱可能に固定されている。このように構成すると、ファンフォールド紙を供給する場合に、ロール紙保持部を取り外すことができるため、供給されるファンフォールド紙とロール紙保持部との干渉を防止することができる。
【００１０】
本発明において、前記収容部は、前記収容部の底面を形成する底面部と、矩形状に形成される前記ファンフォールド紙を少なくとも前記ファンフォールド紙の幅方向の両側から挟むように形成される側面部とを備えることが好ましい。このように構成すると、側面部によって、収容部から供給されるファンフォールド紙の幅方向の位置ずれを防止することが可能になる。
【図面の簡単な説明】
【００１１】
【図１】本発明の実施の形態にかかる印刷用紙供給ユニットの斜視図。
【図２】印刷用紙供給ユニットからロール紙保持部を取り外した状態を示す斜視図。
【図３】印刷用紙供給ユニットが使用される印刷システムの概略図。
【図４】印刷用紙供給ユニットの断面図。
【図５】ホルダーの斜視図。
【発明を実施するための形態】
【００１２】
以下、図面を参照しながら、本発明の実施の形態を説明する。
【００１３】
（印刷用紙供給ユニットの構成）
図１は、本発明の実施の形態にかかる印刷用紙供給ユニット１の斜視図である。図２は、図１に示す印刷用紙供給ユニット１からロール紙保持部５を取り外した状態を示す斜視図である。図３は、印刷用紙供給ユニット１が使用される印刷システム３の概略図である。図４は、印刷用紙供給ユニット１の断面図である。図５は、図１に示すホルダー７の斜視図である。
【００１４】
印刷用紙供給ユニット１は、図３に示すように、ロール状に巻回されたロール紙Ａおよび用紙に刻まれたミシン目に沿って折りたたまれたファンフォールド紙Ｂをプリンター２に供給するためのユニットであり、たとえば、航空機の搭乗券やバッケージタグを発行する印刷システム３に使用される。印刷用紙供給ユニット１は、ロール紙Ａを回転可能に保持するロール紙保持部５と、印刷用紙供給ユニット１の下端部を構成するベース部６とを備えている。
【００１５】
ロール紙保持部５は、ロール紙Ａが取り付けられるホルダー７を備えている。図４に示すように、ホルダー７は、支持軸８に支持されている。支持軸８の基端側は、上下方向を長手方向として配置される中空柱状の支柱部９に支持されている。支持軸８の基端側となるホルダー７の一端側（図４の左端側）には、ロール紙Ａの幅方向の位置ずれを防止するための鍔部１１ａを有する鍔部材１１が配置されている。また、支持軸８の先端側となるホルダー７の他端側（図４の右端側）には、ロール紙Ａの幅方向の位置ずれを防止するための鍔部１３ａを有するキャップ部材１２が配置されている。
【００１６】
鍔部材１１は、鍔部１１ａと筒部１１ｂとを備えている。筒部１１ｂは円筒状に形成されており、鍔部１１ａは、筒部１１ｂの外周面から径方向外側に広がる円板状に形成されている。
【００１７】
キャップ部材１２は、鍔部１３ａと筒部１３ｂとを有する鍔部材１３を備えている。鍔部材１３は、鍔部材１１と同様に構成されている。筒部１３ｂの内周側には、支持軸８の先端側に取り付けられる取付部材１４が固定されている。また、筒部１３ｂの内周側には、支持軸８からキャップ部材１２を取り外すための把持部１５ａが形成される把持部材１５が固定されている。キャップ部材１２は、支持軸８に対して着脱可能となっている。
【００１８】
ホルダー７は、図５に示すように、外径の大きな大径部７ａと、大径部７ａよりも外径の小さな小径部７ｂとを備える段付きの略円筒状に形成されている。ホルダー７は、支持軸８の基端側に小径部７ｂが配置され、支持軸８の先端側に大径部７ａが配置されるように支持軸８に取り付けられている。また、ホルダー７は、支持軸８の軸方向へ移動しないように支持軸８に取り付けられている。
【００１９】
小径部７ｂには、径方向の外側へ放射状に延びる複数のリブ７ｃが形成されている。リブ７ｃの先端面によって形成される径は、大径部７ａの外径よりも小さくなっている。小径部７ｂには、リブ７ｃの先端面と筒部１１ｂの内周面とが接触するように、鍔部材１１が嵌め込まれている。また、小径部７ｂには、円筒状に形成されたスペーサー２１が、その内周面とリブ７ｃの先端面とが接触するように嵌め込まれている。スペーサー２１は、鍔部１１ａと鍔部１３ａとの距離を調整する機能を果たしている。
【００２０】
ホルダー７には、大径部７ａの外周面およびスペーサー２１の外周面とロール紙Ａの内周面とが接触するように、ロール紙Ａが嵌め込まれている。ロール紙Ａをホルダー７に取り付ける際には、キャップ部材１２を取り外して、支持軸８の先端側からロール紙Ａをホルダー７に嵌め込む。また、ロール紙Ａをホルダー７に嵌め込んだ後に、支持軸８の先端側にキャップ部材１２を取り付ける。
【００２１】
ベース部６には、ファンフォールド紙Ｂが収容される収容部６ａが形成されている。収容部６ａは、収容部６ａの底面を形成する底面部６ｂと、ファンフォールド紙Ｂを三方から囲むように形成される側面部６ｃとを備えている。底面部６ｂには、印刷用紙供給ユニット１をプリンター２へ取り付けるための取付部６ｄがプリンター側へ延びるように形成されている。また、底面部６ｂには、ファンフォールド紙Ｂが載る搭載部６ｅが上側に盛り上がるように形成されている。搭載部６ｅは、プリンター側の１箇所と反プリンター側の２箇所とに形成されている。
【００２２】
側面部６ｃは、ファンフォールド紙Ｂの幅方向の両側および反プリンター側の三方からファンフォールド紙Ｂを囲むように形成されている。また、側面部６ｃは、上側に向かうにしたがって外方向へ傾斜する傾斜面状に形成されている。側面部６ｃの上端には、ロール保持部５を支持するための支持面６ｆが水平面状に形成されている。支持面６ｆには、支柱部９の下端をベース部６に固定するためのネジ２５（図４参照）が挿通される複数のネジ孔６ｇと、支柱部９を位置決めするための複数の位置決め用突起６ｈとが形成されている。支持面６ｆには、位置決め用突起６ｈによって位置決めされた支柱部９の下端がネジ２５によって固定されている。すなわち、ロール紙保持部５の下端は、ベース部６に支持されている。
【００２３】
以上のように構成された印刷用紙供給ユニット１では、図３（Ａ）に示すように、ロール紙Ａをプリンター２に供給する場合には、図１に示すように、ベース部６にロール紙保持部５が取り付けられる。また、図３（Ｂ）に示すように、ファンフォールド紙Ｂをプリンター２に供給する場合には、図２に示すように、ベース部６からロール紙保持部５が取り外される。具体的には、支柱部９がベース部６から取り外される。
【００２４】
（本実施の形態の主な効果）
以上説明したように、本形態の印刷用紙供給ユニット１は、ロール紙Ａを回転可能に保持するロール紙保持部５を備え、ロール紙保持部５を支持するベース部６には、ファンフォールド紙Ｂが収容される収容部６ａが形成されている。そのため、本形態では、図３（Ａ）に示すように、ロール紙保持部５を利用して印刷用紙供給ユニット１からロール紙Ａを供給すること、および、図３（Ｂ）に示すように、収容部６ａを利用して印刷用紙供給ユニット１からファンフォールド紙Ｂを供給することができる。したがって、プリンター２に対して、ロール紙Ａの供給ユニットと、ファンフォールド紙Ｂの供給ユニットとを別個に準備する必要がなくなる。また、ロール紙Ａからファンフォールド紙Ｂへ、あるいは、ファンフォールド紙Ｂからロール紙Ａへ印刷用紙を切り替える際に、印刷用紙の供給ユニットを入れ替える必要がなくなる。
【００２５】
本形態では、ロール紙保持部５は、ベース部６に着脱可能に固定されている。そのため、印刷用紙供給ユニット１からファンフォールド紙Ｂを供給する場合に、図２に示すように、ベース部６からロール紙保持部５を取り外すことができる。したがって、供給されるファンフォールド紙Ｂとロール紙保持部５との干渉を防止することができる。
【００２６】
本形態では、収容部６ａは、ファンフォールド紙Ｂを三方から囲むように形成される側面部６ｃを備えている。そのため、収容部６ａからプリンター２へ供給されるファンフォールド紙Ｂの幅方向の位置ずれを防止することができる。
【００２７】
（他の実施の形態）
上述した形態では、支柱部９の下端がベース部６に固定されており、ファンフォールド紙Ｂをプリンター２に供給する場合に、支柱部９をベース部６から取り外すことでベース部６からロール紙保持部５を取り外しているが、ファンフォールド紙Ｂをプリンター２に供給する場合に、支持軸８を支柱部９から取り外すことで、ロール紙保持部５の一部をベース部６および支柱部９から取り外しても良い。
【００２８】
上述した形態では、ロール紙保持部５は、ベース部６に対して着脱可能となっているが、供給されるファンフォールド紙Ｂとロール紙保持部５とが干渉しない場合には、ロール紙保持部５は、ベース部６に対して着脱可能となっていなくても良い。
【００２９】
上述した形態では、側面部６ｃは、ファンフォールド紙Ｂを三方から囲むように形成されているが、ファンフォールド紙Ｂを四方から囲むように側面部６ｃが形成されても良い。また、ファンフォールド紙Ｂの幅方向の両側からファンフォールド紙Ｂを挟むように側面部６ｃが形成されても良い。
【符号の説明】
【００３０】
１  印刷用紙供給ユニット、５  ロール紙保持部、６  ベース部、６ａ  収容部、６ｂ  底面部、６ｃ  側面部、７  ホルダー、８  支持軸、９  支柱部、Ａ  ロール紙、Ｂ  ファンフォールド紙
【図１】
2011194579.tif 000003
【図２】
2011194579.tif 000004
【図３】
2011194579.tif 000005
【図４】
2011194579.tif 000006
【図５】
2011194579.tif 000007